(57)【要約】    【課題】  家庭内に幼児がいる期間にだけ被覆材を取り付けてドアの隙間による指詰めを防止しうる安全ドアを提供する。    【解決手段】  一方の側部が蝶番を介して開口枠に枢着され、開口枠が囲む開口部を開閉可能に支持された矩形板状のドア本体と、このドア本体の下端面を略全長に亘って覆うとともにドア本体と床面との隙間内に配される長尺状の被覆材と、該被覆材をドア本体の下端面に固定する固定手段とを有し、前記固定手段は、前記蝶番によって開口枠に枢着されたままのドア本体に対して、前記被覆材を取り付け、取り外し可能に取り付けできることを特徴とする安全ドア。【選択図】  図２
2007009647.tif 000002
【特許請求の範囲】
【請求項１】
側部が蝶番を介して開口枠に枢着され、開口枠が囲む開口部を開閉する矩形板状のドア本体と、このドア本体の下端面を略全長に亘って覆うとともにドア本体と床面との隙間内に配される長尺状の被覆材と、該被覆材をドア本体の下端面に固定する固定手段とを有し、
前記固定手段は、前記蝶番によって開口枠に枢着された状態のドア本体に対して、前記被覆材を取り付け、取り外しできることを特徴とする安全ドア。
【請求項２】
前記固定手段は、被覆材に設けられた係合部と、ドア本体の下部に形成され、前記係合部と係合しうる係合受部とからなることを特徴とする請求項１記載の安全ドア。
【請求項３】
前記係合部は、被覆材の上面の略中央に上に向かって少なくとも２個が長手方向に離れて隔設され、しかも同方向に折れ曲がった逆Ｌ字状をなす鍵片からなり、
前記係合受部は、前記鍵片に各々向き合ってドア本体下面に複数設けられ、縦穴とこの縦穴の奥でこれに連続して、ドア本体の面方向に沿い水平にのびる横穴とを有するとともに、前記鍵片が着脱可能に係合しうる鍵穴からなることを特徴とする請求項１又は２記載の安全ドア。
【請求項４】
前記係合部は、被覆材の上面で長手方向にのび、かつ小高さで立ち上がる壁部と、この壁部の上端部が巾方向両側に水平にのびた笠部とからなる断面Ｔ字状の挿入片により形成され、
前記係合受部は、前記挿入片に向き合ってドア本体下面に形成されて長手方向にのびるとともに、下部開口両縁から各々内側へ水平に小長さでのびる内段部が形成された長溝部からなり、
前記挿入片は、長溝部内にスライドして挿入されるとともに、笠部が前記内段部に係合して取り付けられることを特徴とする請求項１又は２記載の安全ドア。
【請求項５】
前記被覆材は、ドア本体の下面に沿う水平な基板と、この基板の両側縁から上に折れ曲がるフランジとを含んで構成され、
前記係合部は、前記双方のフランジの上端部が各々内側に向き合って小長さで折れ曲がるリップにより形成され、
前記係合受部は、ドア本体の両側表面の下部に形成され、前記一対のリップが係合しうる水平な細溝からなることを特徴とする請求項１又は２記載の安全ドア。
【請求項６】
前記被覆材は、弾性材を用いて形成されることを特徴とする請求項１〜５のいずれかに記載の安全ドア。
【発明の詳細な説明】
【技術分野】
【０００１】
本発明は、開閉動作時に床面との隙間で指詰めする危険性を排除した安全ドアに関する。
【背景技術】
【０００２】
開口部を開閉するために蝶番を用いて回転可能に支持されたドアは、建付けの経時変化、及びドア部材、床面の温度湿度変化に基づいた反りなどの変形を生じ、この変形による開閉動作の支障を防止するために、床面との間に、例えば５〜２０ｍｍ程度の隙間を形成した状態で取り付けられている。しかし建付けが変化した場合など、例えば図９に示すように、吊り元側をＨ２の隙間に調整して取り付けても、戸先側でＨ１の隙間に広がることがある。このような状態で支持されたドアを開閉時に回転させると、予期しない動作の多い幼児の手や足の小さな指先が前記隙間に偶然に挟まる危険性があった。
【０００３】
そこで図１０、１１に示すように、ドア本体ａの下端面に昇降可能な遮断片ｂを設けて、前記ドア本体ａと床面ｄとの隙間ｅを塞ぐドア構造が提案されている（例えば、特許文献１参照）。前記遮断片ｂは、３個のローラーｆが両端と中央に取り付けられるとともにドア本体ａの下端面に形成された角溝状の凹部ｇに昇降可能に挿入され、前記ローラーｆが床面ｄ上を倣うことにより、前記隙間ｅを追従しながら塞ぐことができるものである。
【０００４】
【特許文献１】特開平９−４１８３６号公報
【発明の開示】
【発明が解決しようとする課題】
【０００５】
しかしながら、前記遮断片ｂは、ドア本体ａ内に一体に組み込んで構成されるため、幼児が成長して、前記指詰めの危険性が無くなっても取り外すことができない。このような場合に、ローラーｆの転動が抵抗となって、ドアの開閉動作が重くなり、或いは遮断片ｂが円滑に昇降しない時は、ドアの動きが阻止されることもある。更には繰り返されるローラーｆの転動により床面ｄが傷付き易いとともに、ローラーｆの音が夜間には騒音となって安眠を妨げたり、音楽鑑賞の障害となるという問題がある。
【０００６】
本発明は、被覆材を着脱可能に取り付けできる固定手段を用いてドア本体に装着することを基本とし、家庭内に幼児がいる期間にだけ被覆材を取り付けてドアの隙間による指詰めを防止しうる安全ドアの提供を課題としている。
【課題を解決するための手段】
【０００７】
前記目的を達成するために、請求項１に係る発明は、側部が蝶番を介して開口枠に枢着され、開口枠が囲む開口部を開閉する矩形板状のドア本体と、このドア本体の下端面を略全長に亘って覆うとともにドア本体と床面との隙間内に配される長尺状の被覆材と、該被覆材をドア本体の下端面に固定する固定手段とを有し、前記固定手段は、前記蝶番によって開口枠に枢着された状態のドア本体に対して、前記被覆材を取り付け、取り外しできることを特徴とする。
【０００８】
請求項２に係る発明では、前記固定手段は、被覆材に設けられた係合部と、ドア本体の下部に形成され、前記係合部と係合しうる係合受部とからなり、また請求項３に係る発明においては、前記係合部は、被覆材の上面の略中央に上に向かって少なくとも２個が長手方向に離れて隔設され、しかも同方向に折れ曲がった逆Ｌ字状をなす鍵片からなり、前記係合受部は、前記鍵片に各々向き合ってドア本体下面に複数設けられ、縦穴とこの縦穴の奥でこれに連続して、ドア本体の面方向に沿い水平にのびる横穴とを有するとともに、前記鍵片が着脱可能に係合しうる鍵穴からなることを特徴とする。
【０００９】
請求項４に係る発明では、前記係合部は、被覆材の上面で長手方向にのび、かつ小高さで立ち上がる壁部と、この壁部の上端部が巾方向両側に水平にのびた笠部とからなる断面Ｔ字状の挿入片により形成され、前記係合受部は、前記挿入片に向き合ってドア本体下面に形成されて長手方向にのびるとともに、下部開口両縁から各々内側へ水平に小長さでのびる内段部が形成された長溝部からなり、前記挿入片は、長溝部内にスライドして挿入されるとともに、笠部が前記内段部に係合して取り付けられることを特徴とする。
【００１０】
請求項５に係る発明において、前記被覆材は、ドア本体の下面に沿う水平な基板と、この基板の両側縁から上に折れ曲がるフランジとを含んで構成され、前記係合部は、前記双方のフランジの上端部が各々内側に向き合って小長さで折れ曲がるリップにより形成され、前記係合受部は、ドア本体の両側表面の下部に形成され、前記一対のリップが係合しうる水平な細溝からなり、また請求項６に係る発明においては、前記被覆材は、弾性材を用いて形成されることを特徴とする。
【発明の効果】
【００１１】
請求項１に係る発明は、ドア本体と床面との隙間が、被覆材により塞がれるため、開閉動作時に誤って子供などの足の指先が前記隙間に挟まれて怪我をすることが防止され、安全性が向上する。しかも、ドア本体を蝶番によって開口枠に枢着したままの状態で、被覆材を着脱可能に取り付けできるため、家庭内に幼児がいる期間だけ、被覆材を装着するなど便利に使用できる。
【００１２】
請求項２に係る発明のように構成すると、被覆材の係合部と、ドア本体の係合受部とからなる固定手段により、被覆材を必要な時に簡単確実に取り付けできる。また請求項３に係る発明のように、被覆材の複数の鍵片を、ドア本体下面の鍵穴に挿入するとともに、少しスライドさせることによって、鍵片が鍵穴に係合して被覆材がドア本体に装着されるため、簡単な操作で短時間に、ドア本体と床面の隙間を閉止できる。しかも不要となった時には、簡単に取り外しできる。
【００１３】
請求項４に係る発明では、ドア本体下面に形成された長溝部内に挿入される挿入片によって、被覆材はその全長に亘り支持されるため、被覆材は熱膨張などの影響による反り、或いは中間部の垂れ下がりなどの変形を生じることなく、また安定した強度によって支持される。その結果、被覆材の下面の一部が床面に擦れて、ドア本体の開閉動作に支障を生じたり、床面を傷つけたりすることがない。
【００１４】
請求項５に係る発明では、フランジによってドア本体の側下端部が覆われるため、幼児などの指先が触れても安全に保護でき、しかもリップによって被覆材の全長が支持されるため、反り、垂れ下がりなどの変形が抑制される。請求項６に係る発明のように構成すると、被覆材の弾性により、幼児などの指先が触れても安全に保護できる。しかもドア本体の熱膨張、公差などによる変形があっても、被覆材の弾性変形によりこれを吸収するため、被覆材の取り付け、取り外しの作業を支障無く行える。
【発明を実施するための最良の形態】
【００１５】
以下、本発明の実施の一形態を、図示例とともに説明する。図１に示すように、安全ドア１は、開口部４を開閉する矩形板状のドア本体５と、このドア本体５の下端面を覆う被覆材７と、この被覆材７をドア本体５に固定する固定手段８とからなる。
【００１６】
前記ドア本体５が装着される開口部４は、図１に示すように、主に建物内部の空間を区画する間仕切壁３１に形成され、居室間或いは居室と廊下との間などを連通させる間仕切開口により構成される。この開口部４は、その内周縁に、少なくとも両側部に配される縦枠３Ａ、３Ａと、この縦枠３Ａの上端部間をつなぐ上枠３Ｂとからなる開口枠３が設けられる。また開口枠３は、別途枠材を取り付けることなく、間仕切壁３１の開口部４に臨む内周縁部分自体によって形成することもできる。
【００１７】
前記ドア本体５は、図１に示すように、開口部４の内法寸法よりも、やや小さな矩形状に形成される。そして、上下に配された２個の蝶番２、２を介して前記開口枠３の吊り元の縦枠３Ａに枢着され、これにより前記開口部４を開閉可能に閉止している。
【００１８】
本形態のドア本体５は、図２に示すように、その下端面に間隔を隔てて配置された一対の鍵穴１４が形成される。前記鍵穴１４は、ドア本体５の下端面から上にのびる水平断面矩形の縦穴１２と、この縦穴１２の上端部でからドア本体５の面方向に沿い、本形態では吊り元に向かい水平にのびる横穴１３とからなり、垂直断面逆Ｌ字状をなしている。
【００１９】
またドア本体５は、本形態では、縦フレーム材、横フレーム材を矩形状に枠組みした外周枠の内側に補強桟を架け渡して形成された木製のパネルフレームの両側に、化粧板を貼着したフラッシュパネル構造によって構成されている。またドア本体５は、前記フラッシュパネル構造のほか無垢木材、修正木材を枠状に加工し組立てた框組み構造とすることもよい。更には、鋼板を折り曲げて形成し、又はプラスチック、アルミニウムの押出し成形材を組立てて形成することもできる。
【００２０】
前記被覆材７は、ドア本体５の下端面に沿って取り付けられる長尺板状の被覆基部７Ａを含み、この被覆基部７Ａがドア本体５及び床面６の間の隙間に配置される。従って、ドア本体５と床面６との間に形成される隙間は、被覆基部７Ａの厚み分狭くなるため、開閉動作時に子供の足の指先が挟まれて怪我をする危険がなくなり、開閉動作をはじめ安心して使用できる。
【００２１】
また、ドア本体５の建付け状態の違い、床面６に生じる僅かな反りなどに起因して、ドア本体５と床面６との隙間は、例えば５〜２０ｍｍ程度の範囲内においてバラツキを生じる。従って被覆材７は、被覆基部７Ａの厚さを、５ｍｍ〜１７．５ｍｍの間で２．５ｍｍピッチで段階的に異なる６種類のものを予め形成準備して、図３（Ａ）（Ｂ）に示すように、個々の隙間に適合した厚さＴ１、Ｔ２の被覆材７を選択して用いると、前記バラツキにかかわらず隙間を小さく抑制できる点で好ましい。
【００２２】
更には、図９に示すように、戸先側の隙間Ｈ１と吊り元側の隙間Ｈ２とが異なる時は、前記被覆基部７Ａの厚さを緩やかなテーパ状に形成すると、吊り元から戸先側に向けて隙間が漸増、或いは漸減する場合にも、被覆材７と床面６との間に形成される隙間を均一とすることができる点で好ましい。
【００２３】
本形態の被覆材７は、図２に示すように、前記被覆基部７Ａの両側部から上方へ向けて小高さで直角に折れ曲がる立ち上げ片７Ｂ、７Ｂが形成され、ドア本体５の角張った下端部角部が被覆材７によって覆われる。そのため、誤って開閉動作するドア本体５が足の爪先などに当たっても、緩衝されて足を傷つけることがなく、痛みも低減しうる点で好ましい。
【００２４】
また本形態の被覆材７は、被覆基部７Ａの上面中央に、上に向かって立ち上がりる水平断面矩形の縦片１１Ａと、この縦片１１Ａの上端部から吊り元側に向けて水平に逆Ｌ字状に折れ曲がる横片１１Ｂとかなる鍵片１１が形成される。そして前記鍵片１１は、前記ドア本体５の下端面に形成された鍵穴１４と向き合う位置に形成される。従って本形態では、２個の鍵片１１、１１が被覆材７の長手方向に隔設される。
【００２５】
前記被覆材７は、ポリエチレン樹脂、ポリプロピレン樹脂、ポリスチレン樹脂、ＡＢＳ樹脂、ポリエチレンテレフタレート（ＰＥＴ）などの熱可塑性樹脂を使用し、押し出し成形、ブロー成形、射出成形などの成形方法を用いて成形される。さらにクロロプレンゴム( ＣＲ）、スチレン・ブタジエンゴム（ＳＢＲ）、イソプレンゴム（ＩＲ）を含むゴム、スチレン系・オレフィン系・ウレタン系・ポリエステル系その他の熱可塑性エラストマー、エチレン酢酸ビニル共重合体（ＥＶＡ）などの弾性材を用いて形成すると、被覆材７の弾性によって、幼児などの柔らかい指先に触れても、傷つけることがなく安全性を向上できる点で好ましい。更にドア本体５が熱膨張、湿度変化によって反りなど変形を生じたり、公差による寸法バラツキを生じる場合でも、被覆材が弾性変形してこれらを吸収できるため、被覆材７が外れたり、割れなど破損することがなく、ドア本体５に対する着脱も支障無く行える点で好ましい。
【００２６】
前記固定手段８は、本形態では、前記被覆材７の鍵片１１により構成される係合部９と、ドア本体５の鍵穴１４により構成される係合受部１０とからなる。前記鍵片１１は、鍵穴１４の縦穴１２内部に下方から挿入される。そして吊り元側に向けて水平移動することにより、前記横片１１Ｂは、鍵穴１４の横穴１３内に進入して、鍵片１１が鍵穴１４に係合する。その結果ドア本体５の下部に装着された被覆材７は、前記の如くドア本体５と床面６との間に配され、その厚み分隙間が狭くなる。逆にドア本体５に装着されている被覆材７を、戸先側へ向けてスライドさせると、前記鍵片１１の横片１１Ｂが、鍵穴１４の縦穴１２内に移動することにより前記係合が解除され、その結果被覆材７をドア本体５から外すことができる。このようにして、家庭内に幼児がいるなど被覆材７の装着が必要な期間に限って、被覆材７を取り付けて安全性を確保し、幼児の成長などにより被覆材７が不要となる際には、これを取り外して便利に使用することができる。
【００２７】
しかも本形態では、被覆材７を、前記ドア本体５の面方向に沿って、横片１１Ｂの水平長さ分、スライドするだけで被覆材７を取り付け、或いは取り外しできるため、その着脱操作を簡単に、短時間で行える点で好ましい。
【００２８】
また本形態では、前記被覆基部７Ａの厚さ寸法及び鍵片１１の高さ寸法の合計高さを、ドア本体５と床面６との隙間よりも小に形成することにより、ドア本体５を開口枠３に取り付けたままの状態で、被覆材７を着脱できる。従って例えば急に幼児が来訪した場合などにも、被覆材７を短時間で取付でき、安全な環境を何時でも簡単に確保できる点で好ましい。
【００２９】
図４、５は他の実施形態を例示している。以下異なる内容について説明し、それ以外は図中に表れた主要構成に同じ符号を付すだけとする。本形態の係合部９は、被覆基部７Ａの上面中央に長手方向にのびた一対の挿入片１７により形成される。この挿入片１７は、被覆基部７Ａから垂直に小高さで立ち上がる壁部１５と、この壁部１５の上端部が巾方向両側へ水平にのびた笠部１６とからなり縦断面Ｔ字状をなしている。また本形態の係合受部１０は、ドア本体５の下面に形成され、前記係合部９に向き合い長手方向にのびた２本の長溝部１９からなる。この長溝部１９は、下部の開口両縁から各々内側へ水平に小長さでのびる内段部１８が形成されている。そして前記挿入片１７を、戸先側からドア本体５の長溝部１９へ挿入しつつ、吊り元側に向けてスライドドして、前記挿入片１７の笠部１６が前記内段部１８に係合することにより、被覆材７がドア本体５の下部に装着される。
【００３０】
本形態の安全ドア１では、ドア本体５下面の全長に形成された長溝部１９の内部に挿入された挿入片１７によって、被覆材７は全長に亘って安定して支持される。そのため、被覆材７は熱膨張による反り、或いは中間部の垂れ下がりなどによる変形が抑制される。その結果被覆材７下面の一部が変形して床面６に擦れることがなく、ドア本体５は長期間に亘ってスムースな開閉動作が確保され、また床面６を傷付けることがない。
【００３１】
図６、７には、更に他の実施形態が例示される。本形態の被覆材７は、ドア本体５の下面に沿う水平な長板状の基板２０と、この基板２０の両側縁から上に折れ曲がるフランジ２１と、更にこの双方のフランジ２１上端部から各々内側へ小長さで折れ曲がるリップ２２とから構成される。そして本形態の係合部９は、前記リップ２２により形成される。
【００３２】
本形態のドア本体５の両側表面の下部には、ドア本体５の全巾に亘ってのびる水平な細溝２３が形成されている。そして本形態の係合受部１０は、前記細溝２３により構成される。而して前記被覆材７は、リップ２２を戸先側からドア本体５の細溝２３に挿入させつつ、ドア本体５の下面に沿って吊り元側へ向けてスライドさせることにより、ドア本体５に装着することができる。本形態では、前記フランジ２１によってドア本体５の側下端の角部が覆われるため、幼児の柔らかい指先に触れても安全に保護されて、怪我が予防できる。しかも、リップ２２によって被覆材７は全長に亘って支持されるため、反り或いは垂れ下がりなどの変形が抑制されて外観を高めるとともに、床面６に対する擦れを防止できる。
【００３３】
図８は更に他の実施形態を例示している。本形態の係合部９は被覆材７の上面に設けられた吸着体３３により形成され、他方係合受部１０は、ドア本体５の下端面に埋設されるとともに磁力により前記吸着体３３と引き合い吸着する被吸着体３４により形成される。なお前記吸着体３３及び被吸着体３４は、磁石と強磁性体（鉄、マルテンサイト系或いはフェライト系ステンレス、ニッケル、コバルト）、或いは異極（Ｎ極、Ｓ極）同士が向合う一対の磁石を用いて構成することができる。本形態の被覆材７は、磁力を用いて取り付けられるので、その着脱作業が簡単に、しかも短時間に行える点で好ましい。
【００３４】
尚、叙上の説明は本発明の実施の形態を例示したものである。従って本発明の技術的範囲はこれに何ら限定されるものではなく、前記した実施の形態の他にも、各種の変形例が含まれる。
【図面の簡単な説明】
【００３５】
【図１】本発明の一実施の形態を例示する正面図である。
【図２】その要部拡大斜視図である。
【図３】その要部縦断面図であり、（Ａ）は薄い被覆材を例示し、（Ｂ）は厚い被覆材を例示している。
【図４】他の実施の形態を例示する要部拡大斜視図である。
【図５】その要部側面図である。
【図６】さらに他の実施の形態を例示する要部拡大斜視図である。
【図７】その要部側面図である。
【図８】さらに他の実施の形態を例示する要部側面図である。
【図９】従来例の正面図である。
【図１０】他の従来例の正面図である。
【図１１】その要部拡大縦断面図である。
【符号の説明】
【００３６】
１      安全ドア
２      蝶番
３      開口枠
４      開口部
５      ドア本体
６      床面
７      被覆材
８      固定手段
９      係合部
１０      係合受部
１１      鍵片
１２      縦穴
１３      横穴
１４      鍵穴
１５      壁部
１６      笠部
１７      挿入片
１８      内段部
１９      長溝部
２０      基板
２１      フランジ
２２      リップ
２３      細溝
【図１】
2007009647.tif 000003
【図２】
2007009647.tif 000004
【図３】
2007009647.tif 000005
【図４】
2007009647.tif 000006
【図５】
2007009647.tif 000007
【図６】
2007009647.tif 000008
【図７】
2007009647.tif 000009
【図８】
2007009647.tif 000010
【図９】
2007009647.tif 000011
【図１０】
2007009647.tif 000012
【図１１】
2007009647.tif 000013